(57)【要約】【課題】互いに異なる歯数を有する複数種類の最終減速歯車を用いる場合に第一駆動輪と第二駆動輪との速度比を一定に設定しながらも、装置の外形寸法が大きくなることを防止でき、かつ構成部材のバリエーションを少なく抑えることができる車両の動力伝達装置を提供する。【解決手段】車両に搭載した動力伝達装置（１）であって、動力源（Ｅ）の動力を第一駆動輪に伝達する最終減速歯車である第一歯車（４）に噛み合う第二歯車（７）とトランスファー機構（２０）との間、またはトランスファー機構（２０）と第二駆動輪（Ｗｒ，Ｗｒ）との間のいずれかには、入力した動力の回転数を増速又は減速して出力するための複数の歯車を備える増減速ユニット（１００）が設置されている。【選択図】図１
2018197057.tif 000002
【特許請求の範囲】
【請求項１】
車両に搭載した動力源からの動力を第一駆動輪及び第二駆動輪に伝達する車両用動力伝達装置であって、
前記第一駆動輪の車軸上に設けられて前記動力源の動力を前記第一駆動輪に伝達する最終減速歯車である第一歯車と、
前記第一歯車に噛合する第二歯車と、
前記第二歯車からの動力を前記第二駆動輪に伝達する動力伝達経路に設けたトランスファー機構と、を備え、
前記動力伝達経路における前記第二歯車と前記トランスファー機構との間、または前記トランスファー機構と前記第二駆動輪との間のいずれかには、入力した動力の回転数を増速又は減速して出力するための複数の歯車を備える増減速ユニットが設置されている
ことを特徴とする車両の動力伝達装置。
【請求項２】
前記増減速ユニットは、
互いが同軸上に配置された動力が入力される入力軸及び動力が出力される出力軸と、
前記入力軸上に設けられた入力側歯車と、
前記出力軸上に設けられた出力側歯車と、
前記入力側歯車及び前記出力側歯車に噛合する中間歯車と、を備える
ことを特徴とする請求項１に記載の車両の動力伝達装置。
【請求項３】
前記増減速ユニットは、前記動力伝達経路における前記第二歯車と前記トランスファー機構との間に設けた回転軸上に設置されている
ことを特徴とする請求項１又は２に記載の車両の動力伝達装置。
【請求項４】
前記増減速ユニットは、前記動力伝達経路における前記トランスファー機構の直後に設置されている
ことを特徴とする請求項１又は２に記載の車両の動力伝達装置。
【請求項５】
前記第二駆動輪の車軸上に設けられて前記動力源の動力を前記第二駆動輪に伝達する最終減速歯車である第三歯車を備え、
前記増減速ユニットは、前記動力伝達経路における前記第三歯車の直前に設置されている
ことを特徴とする請求項１又は２に記載の車両の動力伝達装置。
【発明の詳細な説明】
【技術分野】
【０００１】
本発明は、四輪駆動車両などの車両に搭載した動力源からの動力を第一駆動輪及び第二駆動輪に伝達する動力伝達装置に関する。
【背景技術】
【０００２】
四輪駆動車両などの車両は、エンジンなど動力源の動力を主駆動輪（第一駆動輪）及び副駆動輪（第二駆動輪）に伝達する動力伝達装置を備えている。この動力伝達装置は、主駆動輪の車軸上に設けられた最終減速歯車（ファイナルドリブンギヤ）を備えており、この最終減速歯車は、動力源の動力を最終的に減速して主駆動輪に伝達する。
【０００３】
上記の最終減速歯車は、その歯数に応じて主駆動輪に出力されるトルクの値が決まる。そして、共通の動力伝達装置を備える車両（車種）であっても、車両が出荷される仕向地や車両のタイプなどに応じて、主駆動輪に出力されるトルクの値を異ならせる場合がある。そのため、同一の動力伝達装置を搭載した車両において、車両ごとに上記の最終減速歯車としてその歯数を異ならせた歯車を使用する場合がある。
【０００４】
このように、主駆動輪へ動力を伝達する最終減速歯車として互いに異なる歯数を有する歯車を使用した車両でも、主駆動輪と副駆動輪の速度比を一定にする必要がある。このための構成として、従来、主駆動輪の車軸上に設けた最終減速歯車とは別の増減速用歯車と、この増減速用歯車と噛み合う更に別の歯車とを備え、これら増減速用の歯車列を介して動力源の動力を副駆動輪へ伝達するように構成している。そして、当該増減速用歯車の歯数を適宜に設定することで、最終減速歯車の歯数に関わらず主駆動輪と副駆動輪の速度比を一定にすることが行われている。
【０００５】
しかしながら、上記従来の構成では、最終減速歯車と増減速用歯車とを主駆動輪の車軸上で軸方向に並べて設けることで、その分、動力伝達装置の構成要素の軸方向（車軸の軸方向）の寸法が大きくなる。そのため、動力伝達装置の構成要素の配置のレイアウトの自由度が低下するおそれがあるなどの問題が生じる。
【０００６】
この問題に対処するため、他の従来構造として、上記の主駆動輪の車軸上に設けた増減速用歯車に代えて、最終減速歯車に噛み合う他の増減速用歯車を設ける構成が採用されている。この構成によれば、互いに噛み合う最終減速歯車と増減速用歯車が車軸の軸方向の同位置に配置されるので、動力伝達装置の構成要素の軸方向の寸法が大きくなることを回避できる。
【０００７】
しかしながら、このような最終減速歯車に噛み合う増減速用歯車は、その歯数をあまり大きく変更することができない。これにより、最終減速歯車に噛み合う増減速用歯車の歯数を調整するだけでは、主駆動輪と副駆動輪の速度比を一定にすることができない場合がある。そのため、増減速用歯車から副駆動輪へ動力を伝達する経路に設けたトランスファー機構を構成する歯車など、増減速用歯車以外の他の歯車の歯数も変更する必要が生じる場合がある。これにより、動力伝達装置の各構成部品のバリエーションが多くなるおそれがある。
【先行技術文献】
【特許文献】
【０００８】
【特許文献１】特開２００４−１１８９４号公報
【発明の概要】
【発明が解決しようとする課題】
【０００９】
本発明は上述の点に鑑みてなされたものであり、その目的は、互いに異なる歯数を有する複数種類の最終減速歯車を用いる場合に第一駆動輪と第二駆動輪との速度比を一定に設定しながらも、装置の外形寸法が大きくなることを防止でき、かつ構成部材のバリエーションを少なく抑えることができる車両の動力伝達装置を提供することにある。
【課題を解決するための手段】
【００１０】
上記課題を解決するための本発明は、車両に搭載した動力源（Ｅ）からの動力を第一駆動輪（Ｗｆ，Ｗｆ）及び第二駆動輪（Ｗｒ，Ｗｒ）に伝達する動力伝達装置（１）であって、第一駆動輪の車軸（６）上に設けられて動力源の動力を第一駆動輪に伝達する最終減速歯車である第一歯車（４）と、第一歯車（４）に噛合する第二歯車（７）と、第二歯車からの動力を第二駆動輪に伝達する動力伝達経路（２）に設けたトランスファー機構（２０）と、を備え、動力伝達経路（２）における第二歯車（７）とトランスファー機構（２０）との間、またはトランスファー機構（２０）と第二駆動輪（Ｗｒ，Ｗｒ）との間のいずれかには、入力した動力の回転数を増速又は減速して出力するための複数の歯車を備える増減速ユニット（１００）が設置されていることを特徴とする。
【００１１】
本発明に係る車両の動力伝達装置では、最終減速歯車に噛み合う第二歯車とトランスファー機構との間、またはトランスファー機構と第二駆動輪との間のいずれかには、入力した動力の回転数を増速又は減速して出力するための複数の歯車を備える増減速ユニットが設置されていることで、車両の製造にあたり、異なる歯数を有する複数種類の最終減速歯車を車両の仕向地や車種に応じて使用する場合であっても、予め増減速比の異なる複数種類の増減速ユニットを準備し、それらのいずれかを選択して動力伝達装置に組み付けるだけで、トランスファー機構を構成する歯車など、増減速ユニット用歯車以外の他の歯車の歯数などを変更することなく、第一駆動輪と第二駆動輪の速度比を一定に設定することができる。したがって、動力伝達装置を構成する構成部品のバリエーションを少なく抑えることができる。
【００１２】
また、本発明に係る車両の動力伝達装置では、第一駆動輪の車軸上に設けられて動力源の動力を第一駆動輪に伝達する最終減速歯車である第一歯車と、この第一歯車に噛合する第二歯車とを備えることで、第二駆動輪に動力を伝達するために第一駆動輪の車軸上に最終減速歯車とは別の増減速用歯車を設ける必要がない。したがって、第一駆動輪の車軸上に最終減速歯車とは別の増減速用歯車を設けた従来構成と比較して、動力伝達装置における車軸の軸方向の寸法（構成要素の外形寸法）を小さく抑えることが可能となる。
【００１３】
また、この車両の動力伝達装置において、増減速ユニット（１００）は、互いが同軸上に配置された動力が入力される入力軸（１０１）及び動力が出力される出力軸（１０２）と、入力軸上に設けられた入力側歯車（１１１）と、出力軸上に設けられた出力側歯車（１１２）と、入力側歯車及び出力側歯車に噛合する中間歯車（１１３）と、を備えることができる。このように、増減速ユニットは、互いが同軸上に配置された入力軸及び出力軸を備えることで、増減速ユニットを動力伝達経路における一本の回転軸の中途位置に介在させることが可能となる。したがって、増減速ユニットの動力伝達装置への設置容易性が高まり、増減速ユニットのレイアウトの自由度を高めることができる。したがって、車載都合上最適な個所に増減速ユニットを設置することが可能となる。
【００１４】
さらに、この車両の動力伝達装置は、一実施態様として、増減速ユニット（１００）は、動力伝達経路（２）における第二歯車（７）とトランスファー機構（２０）との間に設けた回転軸（８）上に設置することができる。あるいは、他の実施態様として、増減速ユニット（１００）は、動力伝達経路（２）におけるトランスファー機構（２０）の直後に設置してもよい。あるいは、更に他の実施態様として、第二駆動輪（Ｗｒ，Ｗｒ）の車軸（１５）上に設けられて動力源の動力を第二駆動輪に伝達する最終減速歯車である第三歯車（１３）を備え、増減速ユニット（１００）は、動力伝達経路（２）における第三歯車（１３）の直前に設置されていてもよい。これらによれば、増減速ユニットを車載都合上最適な個所に設置することができるので、増減速ユニットを含む動力伝達装置のレイアウトの自由度を効果的に高めることができる。
【００１５】
なお、上記の括弧内の符号は、後述する実施形態の対応する構成要素の符号を本発明の一例として示したものである。
【発明の効果】
【００１６】
本発明に係る車両の動力伝達装置によれば、動力源の動力を第一駆動輪に伝達する最終減速歯車である第一歯車として、互いに異なる歯数を有する複数種類の最終減速歯車を用いる場合において、第一駆動輪と第二駆動輪との速度比を一定に設定しながらも、動力伝達装置の寸法が大きくなることを防止でき、かつ構成部材のバリエーションを少なく抑えることができる。
【図面の簡単な説明】
【００１７】
【図１】本発明の第一実施形態に係る動力伝達装置を備える四輪駆動車両の全体構成を示す概略図である。
【図２】動力伝達装置に備えられる増減速ユニットを示すスケルトン図である。
【図３】本発明の第二実施形態に係る動力伝達装置を備える四輪駆動車両の全体構成を示す概略図である。
【図４】本発明の第三実施形態に係る動力伝達装置を備える四輪駆動車両の全体構成を示す概略図である。
【発明を実施するための形態】
【００１８】
以下、添付図面を参照して本発明の実施形態を詳細に説明する。
〔第一実施形態〕
図１は、本発明の第一実施形態に係る動力伝達装置を備える車両の全体構成を示す概略図である。図１に示す車両は、動力源であるエンジンＥの動力を主駆動輪（第一駆動輪）である左右の前輪Ｗｆ，Ｗｆ及び副駆動輪（第二駆動輪）である左右の後輪Ｗｒ，Ｗｒに伝達する動力伝達装置１を備える四輪駆動車両である。
【００１９】
動力伝達装置１は、エンジンＥからの動力の回転を変速して出力するトランスミッション（変速機）ＴＭと、トランスミッションＴＭから出た動力を前輪Ｗｆ，Ｗｆと後輪Ｗｒ、Ｗｒそれぞれに伝達するフロントドライブユニット（ＦＤＵ）２５及びリアドライブユニット（ＲＤＵ）３０と、フロントドライブユニット（ＦＤＵ）２５とリアドライブユニット（ＲＤＵ）３０との間の動力伝達経路２に設けたパワートランスファーユニット（ＰＴＵ）４０とを備える。
【００２０】
フロントドライブユニット２５は、トランスミッションＴＭの出力軸１８上に設けたファイナルドライブギヤ３と、前輪Ｗｆ，Ｗｆの車軸６上に設けられてファイナルドライブギヤ３と噛み合うファイナルドリブンギヤ（第一歯車：エンジンＥの動力を前輪Ｗｆ，Ｗｆに伝達する最終減速歯車）４と、ファイナルドリブンギヤ４の内径側に設けたフロントディファレンシャル機構５とを備える。フロントディファレンシャル機構５は、詳細な図示は省略するが、例えば、ファイナルドリブンギヤ４と一体に回転するケースと、ケース内に設けた左右の車軸６，６それぞれにつながる一対のサイドギヤとそれらに噛み合うピニオンギヤとを備える構成で、ファイナルドリブンギヤ４に入力したエンジンＥからの動力を左右の車軸６，６に振り分けて伝達する。
【００２１】
パワートランスファーユニット４０は、車両の後側でファイナルドリブンギヤ４と噛み合うトランスファードライブギヤ（第二歯車）７と、このトランスファードライブギヤ７と同軸上に設けたトランスファー機構２０と、これらトランスファードライブギヤ７とトランスファー機構２０とを接続するトランスファーシャフト（回転軸）８を備える。また、トランスファーシャフト８上には、増減速ユニット１００とクラッチ３５が設けられている。増減速ユニット１００は入力した動力の回転を増速又は減速して出力する機構である。この増減速ユニット１００の詳細については後述する。クラッチ３５は、摩擦係合要素などからなる断接機構であり、制御部７０の制御によりトランスファーシャフト８を介して伝達される動力の断接を行う。
【００２２】
トランスファー機構２０は、トランスファーシャフト８の端部（図の右端部）に設けた駆動ベベルギヤ９と、駆動ベベルギヤ９と噛み合う従動ベベルギヤ１０とを備えて構成されている。従動ベベルギヤ１０は、車両の前後方向に延びるピニオンシャフト１６の前側の端部に設けられている。
【００２３】
また、ピニオンシャフト１６の後端にはプロペラシャフト１１が連結されており、プロペラシャフト１１の後端には、他のピニオンシャフト１７を介してリヤドライブユニット３０が接続されている。
【００２４】
リヤドライブユニット３０は、ピニオンシャフト１７の後端に設けた駆動ベベルギヤ１２と、後輪Ｗｒ，Ｗｒの車軸１５上に設けられて駆動ベベルギヤ１２と噛み合う従動ベベルギヤ（第三歯車：エンジンＥの動力を後輪Ｗｒ，Ｗｒに伝達する最終減速歯車）１３と、従動ベベルギヤ１３の内径側に設けたリヤディファレンシャル機構１４とを備える。リヤディファレンシャル機構１４は、詳細な図示は省略するが、例えば、フロントディファレンシャル機構５と同様、従動ベベルギヤ１３と一体に回転するケースと、ケース内に設けた左右の車軸１５，１５それぞれにつながる一対のサイドギヤとそれらに噛み合うピニオンギヤとを備える構成で、従動ベベルギヤ１３に入力したエンジンＥからの動力を左右の車軸１５，１５に振り分けて伝達する。
【００２５】
上記構成の動力伝達装置１では、エンジンＥからの動力が、トランスミッションＴＭ、ファイナルドライブギヤ３、ファイナルドリブンギヤ４、フロントディファレンシャル機構５、車軸６，６の順に伝達される。車軸６，６に伝達された動力は前輪Ｗｆ，Ｗｆに伝達され、これにより前輪Ｗｆ，Ｗｆが駆動する。
【００２６】
一方、ファイナルドリブンギヤ４に伝達された動力は、クラッチ３５が接続（締結）された状態で、トランスファードライブギヤ７、トランスファーシャフト８、増減速ユニット１００、クラッチ３５、トランスファー機構２０、ピニオンシャフト１６、プロペラシャフト１１、ピニオンシャフト１７、駆動ベベルギヤ１２、従動ベベルギヤ１３、リヤディファレンシャル機構１４、車軸１５，１５の順に伝達される。車軸１５，１５に伝達された動力は後輪Ｗｒ，Ｗｒに伝達され、これにより後輪Ｗｒ，Ｗｒが駆動する。したがって、クラッチ３５が接続された状態では、前輪Ｗｆ，Ｗｆと後輪Ｗｒ，Ｗｒの両方が駆動するので、車両は四輪駆動（４ＷＤ）となる。その一方で、クラッチ３５が切断された状態では、クラッチ３５よりも下流側に動力が伝達されないので、後輪Ｗｒ，Ｗｒは駆動せず、車両は前輪駆動（２ＷＤ）となる。
【００２７】
図２は、増減速ユニット１００の詳細構成を示すスケルトン図である。同図に示す増減速ユニット１００は、遊星歯車機構であり、互いが同軸上に配置された入力軸１０１及び出力軸１０２と、入力軸１０１上に固定された入力側サンギヤ（入力側歯車）１１１と、出力軸１０２上に固定された出力側サンギヤ（出力側歯車）１１２と、入力側サンギヤ１１１及び出力側サンギヤ１１２の外径側でキャリア１１５に支持されたピニオンギヤ（中間歯車）１１３と、これらのギヤを収容するケース１１７とを備える。
【００２８】
ピニオンギヤ１１３は、入力側サンギヤ１１１に噛み合う第一ギヤ１１３ａと、出力側サンギヤ１１２に噛み合う第二ギヤ１１３ｂと、これら第一ギヤ１１３ａと第二ギヤ１１３ｂとを連結するピニオンシャフト１１３ｃとを一体に備えて構成されている。ピニオンギヤ１１３及びキャリア１１５は、図では二個ずつのみを示しているが、実際には、入力軸１０１及び出力軸１０２（入力側サンギヤ１１１及び出力側サンギヤ１１２）の外周の等間隔の位置に複数個（例えば三個）が配置されている。
【００２９】
入力側サンギヤ１１１と出力側サンギヤ１１２は互いに異なる歯数のギヤであり、ピニオンギヤ１１３が備える第一ギヤ１１３ａと第二ギヤ１１３ｂも互いに異なる歯数のギヤである。また、増減速ユニット１００の入力軸１０１は、トランスファーシャフト８のトランスファードライブギヤ７側（上流側）に接続されており、出力軸１０２は、トランスファーシャフト８のトランスファー機構２０側（下流側）に接続されている。
【００３０】
上記構成の増減速ユニット１００では、トランスファーシャフト８を介して伝達される動力が入力軸１０１に入力する。この入力軸１０１に入力した動力の回転は、入力側サンギヤ１１１、ピニオンギヤ１１３の第一ギヤ１１３ａ、ピニオンシャフト１１３ｃ、第二ギヤ１１３ｂ、出力側サンギヤ１１２の順に伝達されて出力軸１０２から出力される。この際、入力側サンギヤ１１１、ピニオンギヤ１１３、出力側サンギヤ１１２を経由することで、入力軸１０１に入力した動力の回転が所定の回転数に増速又は減速されて出力軸１０２から出力される。すなわち、増減速ユニット１００では、入力側サンギヤ１１１、出力側サンギヤ１１２、ピニオンギヤ１１３の歯数の設定により所望の増速比又は減速比を得られるように構成している。
【００３１】
本実施形態の動力伝達装置１によれば、ファイナルドリブンギヤ４に噛み合うトランスファードライブギヤ７とトランスファー機構２０との間の動力伝達経路２に、入力した動力の回転数を増速又は減速して出力する増減速ユニット１００が設置されていることで、車両の製造にあたり、互いが異なる歯数を有する複数種類のファイナルドリブンギヤ４を車両の仕向地や車種に応じて使用する場合であっても、予め増減速比の異なる複数種類の増減速ユニット１００を準備しておき、それらから選択した一の増減速ユニット１００を動力伝達装置１に組み付けるだけで、トランスファー機構２０を構成する駆動ベベルギヤ９や従動ベベルギヤ１０など増減速ユニット１００の歯車以外の他の歯車の歯数を変更することなく、車両の前輪Ｗｆ，Ｗｆと後輪Ｗｒ，Ｗｒの速度比を一定にすることができるようになる。したがって、動力伝達装置１が備えるトランスファー機構２０などの構成部品のバリエーションを少なく抑えることができる。
【００３２】
すなわち、上述したように、本実施形態の車両が備えるファイナルドリブンギヤ４の歯数は、車両の仕向地や車種によって異ならせる場合がある。この場合において、異なる増速比又は減速比で増速又は減速する複数種類の増減速ユニット１００を予め準備しておき、使用するファイナルドリブンギヤ４の歯数に合わせて、前輪Ｗｆと後輪Ｗｒとの速度比が一定になるように適切な増減速ユニット１００を選択して使用する。これにより、トランスファー機構２０を構成する歯車などは一種類のみで足りるようになるので、動力伝達装置１の構成部品の種類を少なく抑えてその構成の簡素化を図ることができる。
【００３３】
また、本実施形態の動力伝達装置１では、主駆動輪である前輪Ｗｆ，Ｗｆの車軸６上に設けたファイナルドリブンギヤ４と、このファイナルドリブンギヤ４に噛み合うトランスファードライブギヤ７とを備えることで、後輪Ｗｒ，Ｗｒに動力を伝達するために前輪Ｗｆ，Ｗｆの車軸６上にファイナルドリブンギヤ４とは別の増減速用の歯車を設ける必要がない。したがって、主駆動輪である前輪の車軸上にファイナルドリブンギヤとは別の増減速用歯車を設けた従来構成と比較して、車軸６の軸方向における動力伝達装置１の構成要素の寸法（外形寸法）を小さく抑えることが可能となる。
【００３４】
また、本実施形態の動力伝達装置１において、増減速ユニット１００は、互いが同軸上に配置された入力軸１０１及び出力軸１０２を備えることで、増減速ユニット１００を動力伝達経路２における一本の回転軸であるトランスファーシャフト８の中途位置に介在させることが可能となる。したがって、増減速ユニット１００のレイアウトの自由度を高めることができ、増減速ユニット１００の動力伝達装置１への設置容易性が高まる。したがって、増減速ユニット１００を車載都合上最適な個所に設置することが可能となる。
【００３５】
〔第二実施形態〕
次に、本発明の第二実施形態について説明する。なお、第二実施形態の説明及び対応する図面においては、第一実施形態と同一又は相当する構成部分には同一符号を付し、以下ではその部分の詳細な説明を省略する。また、以下で説明する事項以外の事項については、第一実施形態と同様である。この点は、下記の第三実施形態においても同様である。
【００３６】
図３は、本発明の第二実施形態に係る動力伝達装置を備える車両の全体構成を示す概略図である。第一実施形態の動力伝達装置１では、増減速ユニット１００を動力伝達経路２におけるトランスファードライブギヤ７とトランスファー機構２０との間（トランスファーシャフト８上）に設けていたのに対して、本実施形態の動力伝達装置１−２では、増減速ユニット１００をトランスファー機構２０とプロペラシャフト１１との間のピニオンシャフト１６上に設けている。すなわち、本実施形態の増減速ユニット１００は、動力伝達経路２におけるトランスファー機構２０の直後（プロペラシャフト１１の前端側（パワートランスファーユニット４０側））に配置されている。
【００３７】
本実施形態の動力伝達装置１−２では、増減速ユニット１００を上記のように動力伝達経路２におけるトランスファー機構２０の直後に設置したことで、トランスファードライブギヤ７とトランスファー機構２０との間（トランスファーシャフト８上）に増減速ユニット１００を設置するスペースを確保できない場合でも増減速ユニット１００の設置が可能となる。したがって、増減速ユニット１００を備える動力伝達装置１−２の配置構成の自由度を高めることができる。
【００３８】
〔第三実施形態〕
次に、本発明の第三実施形態について説明する。図４は、本発明の第三実施形態に係る動力伝達装置を備える車両の全体構成を示す概略図である。第一実施形態の動力伝達装置１では、増減速ユニット１００を動力伝達経路２におけるトランスファードライブギヤ７とトランスファー機構２０との間（トランスファーシャフト８上）に設けていたのに対して、本実施形態の動力伝達装置１−３では、増減速ユニット１００をプロペラシャフト１１とリヤドライブユニット３０との間のピニオンシャフト１７上に設けている。すなわち、本実施形態の増減速ユニット１００は、動力伝達経路２におけるリヤドライブユニット３０の直前（プロペラシャフト１１の後端側（リヤドライブユニット３０側））に配置されている。
【００３９】
本実施形態の動力伝達装置１−３では、増減速ユニット１００を上記のように動力伝達経路２におけるリヤドライブユニット３０の直前に配置したことで、トランスファードライブギヤ７とトランスファー機構２０との間（トランスファーシャフト８上）に増減速ユニット１００を配置するスペースを確保できない場合でも、増減速ユニット１００の設置が可能となる。したがって、増減速ユニット１００を備える動力伝達装置１−３の配置構成の自由度を高めることができる。
【００４０】
以上、本発明の実施形態を説明したが、本発明は上記実施形態に限定されるものではなく、特許請求の範囲、及び明細書と図面に記載された技術的思想の範囲内において種々の変形が可能である。
【００４１】
例えば、本発明にかかる動力伝達装置が備える増減速ユニットは、第一駆動輪（主駆動輪）の車軸上の最終減速歯車から、第二駆動輪（副駆動輪）の車軸上の最終減速歯車へ動力が伝達される動力伝達経路上に配置されていれば、上記実施形態に示すトランスファーシャフト８の途中位置、ピニオンシャフト１６の途中位置、ピニオンシャフト１７の途中位置以外の箇所に設置することも可能である。
【００４２】
また、本発明にかかる動力伝達装置が備える増減速ユニットは、入力した動力の回転数を増速又は減速して出力するための複数の歯車として、互いに噛合すると共に歯数が異なる少なくとも一組の歯車を備えるものであれば、上記構成の遊星歯車機構を備えた増減速ユニット１００の構成には限られず、他の構成であってもよい。
【符号の説明】
【００４３】
１，１−２，１−３    動力伝達装置
２    動力伝達経路
３    ファイナルドライブギヤ
４    ファイナルドリブンギヤ（第一歯車）
５    フロントディファレンシャル機構
６    車軸
７    トランスファードライブギヤ（第二歯車）
８    トランスファーシャフト（回転軸）
９    駆動ベベルギヤ
１０    従動ベベルギヤ
１１    プロペラシャフト
１２    駆動ベベルギヤ
１３    従動ベベルギヤ（第三歯車）
１４    リヤディファレンシャル機構
１５    車軸
１６    ピニオンシャフト
１７    ピニオンシャフト
２０    トランスファー機構
２５    フロントドライブユニット（ＦＤＵ）
３０    リヤドライブユニット（ＲＤＵ）
３５    クラッチ
４０    パワートランスファーユニット（ＰＴＵ）
７０    制御部
１００    増減速ユニット
１０１    入力軸
１０２    出力軸
１１１    入力側サンギヤ（入力側歯車）
１１２    出力側サンギヤ（出力側歯車）
１１３    ピニオンギヤ（中間歯車）
１１３ａ    第一ギヤ
１１３ｂ    第二ギヤ
１１３ｃ    ピニオンシャフト
１１５    キャリア
１１７    ケース
Ｅ    エンジン（動力源）
ＴＭ    トランスミッション（変速機）
Ｗｆ，Ｗｆ    前輪（主駆動輪）
Ｗｒ，Ｗｒ    後輪（副駆動輪）
【図１】
2018197057.tif 000003
【図２】
2018197057.tif 000004
【図３】
2018197057.tif 000005
【図４】
2018197057.tif 000006